(57)【要約】【課題】重要な顧客の通話サービスに影響を与えないようにすること。【解決手段】交換機（１０６）と端末装置（１０２）との間に配置される加入者収容装置（１０１）における加入者切替え方法は、加入者単位に切替え優先度を付与するステップと、複数加入者収容の各モジュールの故障発生時に、優先度に基づいて、故障モジュール（１０７ａ）の加入者を予備モジュール（１０８）へ切替えるか否かを制御するステップと、を含む。【選択図】  図１
2013236266.tif 000002
【特許請求の範囲】
【請求項１】
交換機と端末装置との間に配置される加入者収容装置における加入者切替え方法であって、
加入者単位に切替え優先度を付与するステップと、
複数加入者収容の各モジュールの故障発生時に、前記優先度に基づいて、故障モジュールの加入者を予備モジュールへ切替えるか否かを制御するステップと、
を含む加入者切替え方法。
【請求項２】
前記制御するステップは、
前記予備モジュールに加入者が収容されているか否かを判定するステップと、
前記予備モジュールに加入者が収容されている場合、故障モジュールに収容されている加入者の優先度と前記予備モジュールに収容されている加入者の優先度とを比較するステップと、
該比較結果に基づいて、前記故障モジュールに収容されている加入者を、前記予備モジュールへ切替えるか否かを判断するステップと、
を含む、請求項１に記載の加入者切替え方法。
【請求項３】
前記判断するステップは、
前記予備モジュールに収容されている加入者の優先度よりも前記故障モジュールに収容されている加入者の優先度が高い場合、前記故障モジュールに収容されている加入者を前記予備モジュールへ切替える、請求項２に記載の加入者切替え方法。
【請求項４】
前記判断するステップは、
前記予備モジュールに収容されている加入者の優先度よりも前記故障モジュールに収容されている加入者の優先度が低いか等しい場合、前記故障モジュールに収容されている加入者の前記予備モジュールへの切替えを行わない、請求項３に記載の加入者切替え方法。
【請求項５】
前記制御するステップは、
前記予備モジュールに加入者が収容されていない場合、前記故障モジュールに収容されている加入者を前記予備モジュールへ切替える、請求項２乃至４のいずれか１つに記載の加入者切替え方法。
【請求項６】
交換機と端末装置との間に配置される加入者収容装置において、
Ｎ（Ｎは２以上の整数）個の現用モジュールと、
１個の予備モジュールと、
前記Ｎ個の現用モジュールのいずれかの故障を検出する故障検出部と、
加入者単位に切替え優先度を付与し、前記故障検出部で前記Ｎ個の現用モジュールのいずれかで故障モジュールが検出されたとき、前記予備モジュールに既に加入者が収容されている場合には、前記故障モジュールに収容されている加入者の優先度と前記予備モジュールに収容されている加入者の優先度とを比較して、該比較結果に基づいて、前記故障モジュールの加入者を前記予備モジュールへ切替えをするか否を判断する加入者管理部と、
該加入者管理部からの切替え指示に基づいて加入者の切り替えを行う切替え制御部と、
を備える加入者収容装置。
【請求項７】
前記予備モジュールに収容されている加入者の優先度よりも前記故障モジュールに収容されている加入者の優先度が高い場合、前記加入者管理部は、前記切替え制御部に、当該故障モジュールの加入者の前記予備モジュールへの切替え指示をする、請求項６に記載の加入者収容装置。
【請求項８】
前記予備モジュールに収容されている加入者の優先度よりも前記故障モジュールに収容されている加入者の優先度が低いか等しい場合、前記加入者管理部は、前記切替え制御部に前記切替え指示をしない、請求項７に記載の加入者収容装置。
【請求項９】
交換機と端末装置との間に配置される加入者収容装置において、
Ｎ（Ｎは３以上の整数）個の現用モジュールと、
第１及び第２の予備モジュールと、
前記Ｎ個の現用モジュールのいずれかの故障を検出する故障検出部と、
加入者単位に切替え優先度を付与し、前記故障検出部で前記Ｎ個の現用モジュールのいずれかで故障モジュールが検出されたとき、前記第１及び第２の予備モジュールに既に加入者が収容されている場合には、前記故障モジュールに収容されている加入者の優先度と前記第１及び第２の予備モジュールに収容されている加入者の優先度とを比較して、該比較結果に基づいて、前記故障モジュールの加入者を前記第１および第２の予備モジュールへ切替えをするか否を判断する加入者管理部と、
該加入者管理部からの切替え指示に基づいて加入者の切り替えを行う切替え制御部と、
を備える加入者収容装置。
【請求項１０】
交換機と端末装置との間に配置される加入者収容装置のコンピュータに、加入者の切替えを実施させる加入者切替えプログラムであって、前記コンピュータに、
加入者単位に切替え優先度を付与する機能と、
複数加入者収容の各モジュールの故障発生時に、前記優先度に基づいて、故障モジュールの加入者を予備モジュールへ切替えるか否かを制御する機能と、
を実現させるための加入者切替えプログラム。
【発明の詳細な説明】
【技術分野】
【０００１】
本発明は、電話交換網の交換機と端末装置との間に配置される加入者収容装置に関し、特に、Ｎ＋１冗長制御を有するＮ＋１冗長化装置の加入者切替え方法およびプログラムに関する。
【背景技術】
【０００２】
電話交換網内に配置されたＮ＋１冗長制御を有する従来の装置においては、単一モジュールが故障した場合、その故障モジュールを予備として用意されたモジュール（以下、「予備モジュール」と呼ぶ）へ切替えを行うことで、通話サービスを継続している（例えば、特許文献１、特許文献２参照）。
【先行技術文献】
【特許文献】
【０００３】
【特許文献１】特開昭６２−１３６１５５号公報
【特許文献２】特開昭６３−０６９３６０号公報
【発明の概要】
【発明が解決しようとする課題】
【０００４】
電話交換網における従来のＮ＋１冗長切替えをサポートした装置では、予備モジュールに収容可能な加入者の数は有限である。そのため、複数の運用モジュール（現用モジュール）が故障した場合、先発で故障した単一のモジュール（以下、「故障モジュール」と呼ぶ）に属する複数の加入者のみが予備モジュールへ切り替わり、後発の故障モジュールに属する複数の加入者については予備モジュールへの切替えは不可である。
【０００５】
このため、後発の故障モジュールに属している加入者の通話は、故障モジュールを正常なモジュールへ交換するか、もしくは手動で加入者の収容替えを行うまでは不可の状態にある。
【０００６】
また、これを回避するために、すべての現用モジュールに対して予備モジュールを一対一に装置に用意することも考えられる。しかしながら、このような構成ではコストがかかり、経済的に実現が難しい。
【０００７】
上述したように、複数の現用モジュールが故障した場合、保守者による故障モジュールの交換を行うか、加入者の収容替えを行うまでは、後発の故障モジュールは通話サービスを継続できない状態となる。その結果、重要な顧客の通話サービスに影響を与えてしまうことになる。
【０００８】
本発明の目的は、以上の問題点を解決し、重要な顧客の通話サービスに影響を与えないようにすることができる、加入者切替え方法を提供することにある。
【課題を解決するための手段】
【０００９】
本発明の加入者切替え方法は、交換機と端末装置との間に配置される加入者収容装置における加入者切替え方法であって、加入者単位に切替え優先度を付与するステップと、複数加入者収容の各モジュールの故障発生時に、優先度に基づいて、故障モジュールの加入者を予備モジュールへ切替えるか否かを制御するステップと、を含む。
【発明の効果】
【００１０】
本発明によれば、重要な顧客の通話サービスに影響を与えないようにすることができる。
【図面の簡単な説明】
【００１１】
【図１】本発明の第１の実施例による加入者切替え方法が適用される加入者収容装置を、その周辺装置と共に示すブロック図である。
【図２】図１に示した加入者収容装置の動作を説明するためのフローチャートである。
【図３】本発明の第２の実施例による加入者切替え方法が適用される加入者収容装置を、その周辺装置と共に示すブロック図である。
【発明を実施するための形態】
【００１２】
本発明の実施形態に係る加入者切替え方法は、モジュールに収容される重要な顧客に高い優先度を付与することで、複数の現用モジュールに故障が発生した場合は、先発故障、後発故障に関わらず、重要な顧客を優先的に予備モジュールへ切替え、重要な顧客の通話サービスに影響を与えないようにすることができるものである。
【００１３】
次に、本発明の実施形態の特徴について説明する。
【００１４】
本発明の実施形態は、電話交換網の交換機と端末装置との間に配置される加入者収容装置において、加入者単位に切替え優先度を付与し、加入者収容装置内の複数加入者を収容した各現用モジュールの故障発生時に、優先度に基づき、予備として用意された予備モジュールへ加入者のＮ＋１冗長切替えを実現することで、１つの予備モジュールを複数の現用モジュールに属する加入者間で共有する方法を提供する。
【００１５】
このように、本発明の実施形態では、Ｎ＋１冗長化構成のまま、加入者単位に優先度を付与し、Ｎ個の現用モジュールの中で、複数の現用モジュールに故障が発生した場合は、先発、後発のモジュールの故障に関わらず、予備モジュールの最大収容加入者数の範囲内において、高優先加入者の予備モジュールへの切替えを優先的に実現する仕組みを導入するものである。
【００１６】
このため、後発の現用モジュール（故障モジュール）に属している加入者であっても、優先度の高い加入者については予備モジュールへの切替えが可能となり、故障の除去を待たずに通話を継続することが可能になる。
【００１７】
本発明の実施形態により、従来のＮ＋１冗長切替え構成を利用でき、重要度の高い顧客の優先度を高くすることで、故障発生時に重要度の高い顧客を優先的に切替え、サービスを継続させることが可能となる。
【００１８】
また、従来のＮ＋１冗長切替え構成を使用することが可能であるため、経済的にも実現可能である。
【００１９】
上述したように、本発明の実施形態のポイントは、交換機と端末装置との間に配置される加入者収容装置において、加入者単位に切替え優先度を付与し、複数加入者収容の各現用モジュールの故障発生時に、優先度に基づき、予備モジュールへ加入者のＮ＋１冗長切替えを実現する。
【００２０】
したがって、本発明の実施形態の効果として、先発、後発の現用モジュールの故障に関わらず、高優先度加入者の予備モジュールへの加入者単位の切替えを自動的に実現し、後発故障モジュールに属している加入者であっても優先度の高い加入者は予備モジュールへの切替えが可能となる。
【実施例１】
【００２１】
図１を参照して、本発明の第１の実施例に係る加入者切替え方法が適用される加入者収容装置１０１について説明する。
【００２２】
加入者収容装置１０１は、複数の加入者を束ねるＮ個（図では３個）のモジュール１０７ａ、１０７ｂ、１０７ｃと、予備モジュール１０８とを具備する。尚、モジュールは、現用モジュールとも呼ばれる。ここでは、モジュール１０７ａ、１０７ｂ、１０７ｃを、それぞれ、第１乃至第３のモジュール（現用モジュール）と呼ぶことにする。この例では、第３のモジュール１０７ｃが第Ｎのモジュールである。第１乃至第３のモジュール１０７ａ、１０７ｂ、１０７ｃの各々では、交換機１０６と端末装置１０２との間の加入者制御回路（図示せず）を備えている。
【００２３】
端末装置１０２と加入者収容装置１０１とは、ＡＴＭ（asynchronous transfer mode）装置１０３と回線１０４とを介して通信を行っている。加入者収容装置１０１は、回線１０５を介して交換機１０６と接続されている。
【００２４】
加入者収容装置１０１は、故障検出部１０９と、加入者管理部１１０と、切替え制御部１１１とを更に備えている。尚、後述するように、加入者管理部１１０と切替え制御部１１１との組み合わせは、コンピュータによって実現され得る。
【００２５】
加入者管理部１１０は、加入者単位に切替え優先度を付与する。
【００２６】
第１のモジュール１０７ａが故障すると、故障検出部１０９は、故障モジュール１０７ａを特定し、加入者管理部１１０に故障モジュール１０７ａのモジュール番号を通知する。
【００２７】
加入者管理部１１０は、予備モジュール１０８に既に加入者が収容されているか否かを判定する。予備モジュール１０８に加入者が収容されているとする。この場合、加入者管理部１１０は、故障モジュール１０７ａに収容されている加入者の優先度と予備モジュール１０８に収容されている加入者の優先度とを比較する。
【００２８】
予備モジュール１０８に収容されている加入者の優先度よりも故障モジュール１０７ａの加入者の優先度が高いとする。この場合、加入者管理部１１０は、故障モジュール１０７ａの加入者の予備モジュール１０８への切替え指示を、切替え制御部１１１に対して行う。
【００２９】
予備モジュール１０８に収容されている加入者の優先度よりも故障モジュール１０７ａの加入者の優先度が低いか等しいとする。この場合、加入者管理部１１０は、上記切替え指示を切替え制御部１１１に対して行わない。すなわち、加入者を切替えず、切替え処理を終了する。
【００３０】
予備モジュール１０８に加入者が収容されていないとする。この場合、加入者管理部１１０は、故障モジュール１０７ａに収容されている加入者の予備モジュール１０８への切替え指示を、切替え制御部１１１に対して行う。
【００３１】
切替え制御部１１１は、加入者管理部１１０からの切替え指示に基づいて、切替え指示のあった故障モジュール１０７ａに収容されている加入者を予備モジュール１０８に切替える。
【００３２】
加入者収容装置１０１では、この操作を、故障モジュール１０７ａに収容されている加入者分、繰り返す。
【００３３】
この後、第２のモジュール１０７ｂで故障が発生したとする。この場合、加入者管理部１１０は、第２のモジュール１０７ｂにおいても第１のモジュール１０７ａと同様に、上記の切替え操作を行う。このようにして、予備モジュール１０８へ優先度の高い加入者を切替える。
【００３４】
予備モジュール１０８に収容されていた低優先の加入者については、高優先の加入者の切替えが発生したことで、使用停止となる。
【００３５】
図２は、加入者管理部１１０および切替え制御部１１１の動作概要を示すフローチャートである。加入者管理部１１０および切替え制御部１１１は、本フローチャートに従って、故障モジュールに収容される加入者を予備モジュール１０８へ切替えを行う。
【００３６】
本フローチャート内に現れる各記号の意味は次のとおりである。 
Ａ: 故障発生時の故障モジュールの収容加入者
Ｂ: 故障発生時の予備モジュールの収容加入者
Ｃ: 予備モジュールの収容空き数
Ｄ: 故障モジュールの収容加入者数
Ｚ: 等しく割り当てられた各モジュールの最大収容可能数
Ｐ：加入者に付与されている優先度
Ｉ：加入者を表すインデックス
【００３７】
図２を参照して、加入者収容装置１０１の動作について説明する。
【００３８】
まず、加入者管理部１１０は、ステップＳ２０１で、第１のモジュール１０７ａにおいて故障が発生した契機で、加入者を表すインデックスＩを０に初期化する。
【００３９】
次に、加入者管理部１１０は、ステップＳ２０２で、故障モジュール１０７ａの収容加入者数Ｄと予備モジュール１０８の収容空き数Ｃとを比較して、故障モジュール１０７ａの収容加入者数Ｄが、予備モジュール１０８の収容空き数Ｃ以内かを判断する。
【００４０】
故障モジュール１０７ａの収容加入者数Ｄが予備モジュール１０８の収容空き数Ｃ以内であるとする。この場合、切替え制御部１１１は、ステップＳ２０３で、故障発生時の予備モジュール１０８の収容加入者Ｂ（Ｉ）に対して、故障発生時の故障モジュール１０７ａの収容加入者Ａ（Ｉ）を移す。
【００４１】
その後、加入者管理部１１０は、ステップＳ２０４で、加入者を表すインデックスＩと予備モジュール１０８の収容空き数Ｃとを更新する。
【００４２】
引き続いて、加入者管理部１１０は、ステップＳ２０５で、予備モジュール１０８の収容空き数Ｃが０か、０より大きいかを判定する。
【００４３】
予備モジュール１０８の収容空き数Ｃが０以下であるとする。この場合、加入者管理部１１０は、ステップＳ２０６で、予備モジュール１０８の収容加入者を優先度低順にソートし、処理を終了する。
【００４４】
予備モジュール１０８の収容空き数Ｃが０より大きい場合、加入者管理部１１０は、ステップＳ２０３の処理に戻る。
【００４５】
一方、故障モジュール１０７ａの収容加入者数Ｄが予備モジュール１０８の収容空き数Ｃより大きいとする。この場合、加入者管理部１１０は、ステップＳ２０７で、故障モジュール１０７ａの収容加入者Ｂを優先度高順にソートする。
【００４６】
その後、加入者管理部１１０は、ステップＳ２０８で、故障発生時の故障モジュール１０７ａの収容加入者Ａ（Ｉ）に付与されている優先度Ｐ（Ａ（Ｉ））と、故障発生時の予備モジュール１０８の収容加入者Ｂ（Ｉ）に付与されている優先度Ｐ（Ｂ（Ｉ））の優先度との大小を比較する。
【００４７】
収容加入者Ａ（Ｉ）に付与されている優先度Ｐ（Ａ（Ｉ））が収容加入者Ｂ（Ｉ）に付与されている優先度Ｐ（Ｂ（Ｉ））の優先度よりも大きいとする。この場合、切替え制御部１１１は、ステップＳ２０９で、故障発生時の予備モジュール１０８の収容加入者Ｂ（Ｉ）に対して、故障発生時の故障モジュール１０７ａの収容加入者Ａ（Ｉ）を移す。
【００４８】
その後、加入者管理部１１０は、ステップＳ２１０で、加入者を表すインデックスＩと故障モジュールの収容加入者数Ｄとを更新する。
【００４９】
引き続いて、加入者管理部１１０は、ステップＳ２１１で、故障モジュール１０７ａの収容加入者数Ｄが０か、０より大きいかを判定する。
【００５０】
故障モジュール１０７ａの収容加入者数Ｄが０以下の場合、加入者管理部１１０は、処理をステップＳ２０６に移す。一方、故障モジュール１０７ａの収容加入者数Ｄが０より大きい場合、加入者管理部１１０は、処理をステップＳ２０８に戻す。
【００５１】
尚、ステップＳ２０８で、収容加入者Ａ（Ｉ）に付与されている優先度Ｐ（Ａ（Ｉ））が収容加入者Ｂ（Ｉ）に付与されている優先度Ｐ（Ｂ（Ｉ））の優先度以下と判定されたとする。この場合、加入者管理部１１０は、処理をステップＳ２０６に移す。
【００５２】
このようにして、加入者収容装置１０１は、故障モジュール１０７ａに収容されている加入者を予備モジュール１０８に切替える。
【００５３】
以上説明したように、本発明の第１の実施例により、以下に記載するような効果が期待される。
【００５４】
第１の効果は、通信している現用モジュールが複数故障した場合に、故障の順番によらず重要度の高い顧客のサービスを継続することができることである。その理由は、重要度の高い顧客である高優先の加入者の切替えを、低優先度の加入者の切替えより優先して予備モジュール１０８へ切替えることで、有限の加入者しか収容できない予備モジュール１０８に高優先の加入者を収容することができるからである。
【００５５】
第２の効果は、装置内の高優先加入者が単一の現用モジュールにまとめて収容されているか、複数の現用モジュールにわたって収容されているかによらず、予備モジュール１０８が収容可能な加入者の範囲内で、すべての現用モジュールに収容される高優先加入者で、１つの予備モジュール１０８を有効活用できるということである。
【００５６】
尚、加入者収容装置１０１の構成要素のうち、加入者管理部１１０と切替え制御部１１１との組み合わせは、コンピュータによって実現され得る。コンピュータは、周知のように、入力装置と、中央処理装置（ＣＰＵ）と、データを格納する記憶装置（たとえば、ＲＡＭ）と、プログラムを格納するプログラム用メモリ（例えば、ＲＯＭ）と、出力装置とを備える。プログラム用メモリ（ＲＯＭ）に格納されたプログラムを読み出すことにより、ＣＰＵは、加入者管理部１１０および切替え制御部１１１の機能を実現する。
【実施例２】
【００５７】
図３を参照して、本発明の第２の実施例に係る加入者切替え方法が適用される加入者収容装置１０１Ａについて説明する。
【００５８】
図示の加入者収容装置１０１Ａは、２個の予備モジュール１０８ａ、１０８ｂを備えていると共に、加入者管理部の動作が相違する点を除いて、図１に示した加入者収容装置１０１と同様の構成を有し動作をする。したがって、加入者管理部に１１０Ａの参照符号を付している。
【００５９】
加入者収容装置１０１Ａは、複数の加入者を束ねる第１乃至第３のモジュール１０７ａ、１０７ｂ、１０７ｃと、予備モジュール１０８ａと、２つめの予備モジュール１０８ｂとを具備する。ここでは、予備モジュール１０８ａを第１の予備モジュールと呼び、予備モジュール１０８ｂを第２の予備モジュールと呼ぶことにする。
【００６０】
第１乃至第３のモジュール１０７ａ、１０７ｂ、１０７ｃの各々では、交換機１０６と端末装置１０２との間の加入者制御回路（図示せず）を備えている。
【００６１】
端末装置１０２と加入者収容装置１０１Ａは、ＡＴＭ装置１０３および回線１０４を介して通信を行っている。加入者収容装置１０１Ａは、回線１０５を介して交換機１０６に接続されている。
【００６２】
加入者管理部１１０Ａは、加入者単位に切替え優先度を付与する。
【００６３】
第１のモジュール１０７ａが故障すると、故障検出部１０９は故障モジュール１０７ａを特定し、加入者管理部１１０Ａに故障モジュール１０７ａのモジュール番号を通知する。
【００６４】
加入者管理部１１０Ａは、第１および第２の予備モジュール１０８ａ、１０８ｂに既に加入者が収容されているか否かを判定する。第１および第２の予備モジュール１０８ａ、１０８ｂに加入者が収容されているとする。この場合、加入者管理部１１０Ａは、故障モジュール１０７ａに収容されている加入者の優先度と第１の予備モジュール１０８ａに収容されている加入者の優先度とを比較する。
【００６５】
第１の予備モジュール１０８ａに収容されている加入者の優先度よりも故障モジュール１０７ａの加入者の優先度が高いとする。この場合、加入者管理部１１０Ａは、故障モジュール１０７ａの加入者の第１の予備モジュール１０８ａへの切替え指示を、切替え制御部１１１に対して行う。
【００６６】
また、第１の予備モジュール１０８ａに収容されている加入者の優先度よりも故障モジュール１０７ａの加入者の優先度が低いか等しいとする。この場合、加入者管理部１１０Ａは、故障モジュール１０７ａに収容されている加入者の優先度と第２の予備モジュール１０８ｂに収容されている加入者の優先度とを比較する。
【００６７】
第２の予備モジュール１０８ｂに収容されている加入者の優先度よりも故障モジュール１０７ａの加入者の優先度が高いとする。この場合、加入者管理部１１０Ａは、故障モジュール１０７ａの加入者の第２の予備モジュール１０８ｂへの切替え指示を、切替え制御部１１１に対して行う。
【００６８】
第２の予備モジュール１０８ｂに収容されている加入者の優先度よりも故障モジュール１０７ａの加入者の優先度が低いか等しいとする。この場合、加入者管理部１１０Ａは、切替え制御部１１１に対して切替え指示を行わない。すなわち、加入者を切替えず、切替え処理を終了する。
【００６９】
第１の予備モジュール１０８ａ及び／又は第２の予備モジュール１０８ｂに加入者が収容されていないとする。この場合、加入者管理部１１０Ａは、故障モジュール１０７ａに収容されている加入者の、第１の予備モジュール１０８ａ及び／又は第２の予備モジュール１０８ｂへの切替え指示を、切替え制御部１１１に対して行う。
【００７０】
切替え制御部１１１は、加入者管理部１１０Ａからの切替え指示に基づいて、切替え指示のあった故障モジュール１０７ａに収容されている加入者を、第１の予備モジュール１０８ａもしくは第２の予備モジュール１０８ｂに切替える。
【００７１】
加入者収容装置１０１Ａでは、この操作を、故障モジュール１０７ａに収容されている加入者分、繰り返す。
【００７２】
この後、第２のモジュール１０７ｂで故障が発生したとする。この場合、加入者管理部１１０Ａは、第２のモジュール１０７ｂにおいても第１のモジュール１０７ａと同様に上記の切替え操作を行う。このようにして、予備モジュール１０８ａ、１０８ｂへ優先度の高い加入者を切替える。
【００７３】
第１および第２の予備モジュール１０８ａ、１０８ｂに収容されていた低優先の加入者については、高優先の加入者の切替えが発生したことで、使用停止となる。
【００７４】
以上説明したように、本発明の第２の実施例により、以下に記載するような効果が期待される。
【００７５】
第１の効果は、通信しているモジュールが複数故障した場合に、故障の順番によらず重要度の高い顧客のサービスを継続することができることである。その理由は、重要度の高い顧客である高優先の加入者の切替えを、低優先度の加入者の切替えより優先して第１の予備モジュール１０８ａまたは第２の予備モジュール１０８ｂへ切替えることで、有限の加入者しか収容できない第１および第２の予備モジュール１０８ａ、１０８ｂに高優先の加入者を収容することができるからである。
【００７６】
第２の効果は、装置内の高優先加入者が単一のモジュールにまとめて収容されているか、複数のモジュールにわたって収容されているかによらず、第１および第２の予備モジュール１０８ａ、１０８ｂが収容可能な加入者の範囲内で、すべてのモジュールに収容される高優先加入者で、２つの予備モジュール１０８ａ、１０８ｂを有効活用できるということである。
【００７７】
尚、加入者収容装置１０１Ａの構成要素のうち、加入者管理部１１０Ａと切替え制御部１１１との組み合わせは、コンピュータによって実現され得る。コンピュータは、周知のように、入力装置と、中央処理装置（ＣＰＵ）と、データを格納する記憶装置（たとえば、ＲＡＭ）と、プログラムを格納するプログラム用メモリ（例えば、ＲＯＭ）と、出力装置とを備える。プログラム用メモリ（ＲＯＭ）に格納されたプログラムを読み出すことにより、ＣＰＵは、加入者管理部１１０Ａおよび切替え制御部１１１の機能を実現する。
【００７８】
以上、実施例を参照して本発明を説明したが、本発明は上記実施例に限定されるものではない。本発明の構成や詳細には、本発明のスコープ内で当業者が理解し得る様々な変更をすることができる。
【００７９】
上記の実施例の一部又は全部は、以下の付記のようにも記載されうるが、以下には限られない。
【００８０】
（付記１）  交換機と端末装置との間に配置される加入者収容装置における加入者切替え方法であって、
加入者単位に切替え優先度を付与するステップと、
複数加入者収容の各モジュールの故障発生時に、前記優先度に基づいて、故障モジュールの加入者を予備モジュールへ切替えるか否かを制御するステップと、
を含む加入者切替え方法。
【００８１】
(付記２)  前記制御するステップは、
前記予備モジュールに加入者が収容されているか否かを判定するステップと、
前記予備モジュールに加入者が収容されている場合、故障モジュールに収容されている加入者の優先度と前記予備モジュールに収容されている加入者の優先度とを比較するステップと、
該比較結果に基づいて、前記故障モジュールに収容されている加入者を、前記予備モジュールへ切替えるか否かを判断するステップと、
を含む、付記１に記載の加入者切替え方法。
【００８２】
（付記３）  前記判断するステップは、
前記予備モジュールに収容されている加入者の優先度よりも前記故障モジュールに収容されている加入者の優先度が高い場合、前記故障モジュールに収容されている加入者を前記予備モジュールへ切替える、付記２に記載の加入者切替え方法。
【００８３】
（付記４）  前記判断するステップは、
前記予備モジュールに収容されている加入者の優先度よりも前記故障モジュールに収容されている加入者の優先度が低いか等しい場合、前記故障モジュールに収容されている加入者の前記予備モジュールへの切替えを行わない、付記３に記載の加入者切替え方法。
【００８４】
（付記５）  前記制御するステップは、
前記予備モジュールに加入者が収容されていない場合、前記故障モジュールに収容されている加入者を前記予備モジュールへ切替える、付記２乃至４のいずれか１つに記載の加入者切替え方法。
【００８５】
（付記６）  交換機と端末装置との間に配置される加入者収容装置において、
Ｎ（Ｎは２以上の整数）個の現用モジュールと、
１個の予備モジュールと、
前記Ｎ個の現用モジュールのいずれかの故障を検出する故障検出部と、
加入者単位に切替え優先度を付与し、前記故障検出部で前記Ｎ個の現用モジュールのいずれかで故障モジュールが検出されたとき、前記予備モジュールに既に加入者が収容されている場合には、前記故障モジュールに収容されている加入者の優先度と前記予備モジュールに収容されている加入者の優先度とを比較して、該比較結果に基づいて、前記故障モジュールの加入者を前記予備モジュールへ切替えをするか否を判断する加入者管理部と、
該加入者管理部からの切替え指示に基づいて加入者の切り替えを行う切替え制御部と、
を備える加入者収容装置。
【００８６】
（付記７）  前記予備モジュールに収容されている加入者の優先度よりも前記故障モジュールに収容されている加入者の優先度が高い場合、前記加入者管理部は、前記切替え制御部に、当該故障モジュールの加入者の前記予備モジュールへの切替え指示をする、付記６に記載の加入者収容装置。
【００８７】
（付記８）  前記予備モジュールに収容されている加入者の優先度よりも前記故障モジュールに収容されている加入者の優先度が低いか等しい場合、前記加入者管理部は、前記切替え制御部に前記切替え指示をしない、付記７に記載の加入者収容装置。
【００８８】
（付記９）  前記予備モジュールに加入者が収容されていない場合、前記加入者管理部は、前記切替え制御部に、前記故障モジュールに収容されている加入者の前記予備モジュールへの切替え指示をする、付記６乃至８のいずれか１つに記載の加入者収容装置。
【００８９】
（付記１０）  交換機と端末装置との間に配置される加入者収容装置において、
Ｎ（Ｎは３以上の整数）個の現用モジュールと、
第１及び第２の予備モジュールと、
前記Ｎ個の現用モジュールのいずれかの故障を検出する故障検出部と、
加入者単位に切替え優先度を付与し、前記故障検出部で前記Ｎ個の現用モジュールのいずれかで故障モジュールが検出されたとき、前記第１及び第２の予備モジュールに既に加入者が収容されている場合には、前記故障モジュールに収容されている加入者の優先度と前記第１及び第２の予備モジュールに収容されている加入者の優先度とを比較して、該比較結果に基づいて、前記故障モジュールの加入者を前記第１および第２の予備モジュールへ切替えをするか否を判断する加入者管理部と、
該加入者管理部からの切替え指示に基づいて加入者の切り替えを行う切替え制御部と、
を備える加入者収容装置。
【００９０】
（付記１１）  前記故障モジュールに収容されている加入者の優先度と前記第１の予備モジュールに収容されている加入者の優先度とを比較して、前記第１の予備モジュールに収容されている加入者の優先度よりも前記故障モジュールに収容されている加入者の優先度が高い場合、前記加入者管理部は、前記切替え制御部に、当該故障モジュールの加入者の前記第１の予備モジュールへの切替え指示をする、付記１０に記載の加入者収容装置。
【００９１】
（付記１２）  前記第１の予備モジュールに収容されている加入者の優先度よりも前記故障モジュールに収容されている加入者の優先度が低いか等しい場合、前記加入者管理部は、前記故障モジュールに収容されている加入者の優先度と前記第２の予備モジュールに収容されている加入者の優先度とを比較して、前記第２の予備モジュールに収容されている加入者の優先度よりも前記故障モジュールに収容されている加入者の優先度が高い場合、前記切替え制御部に、当該故障モジュールの加入者の前記第２の予備モジュールへの切替え指示をする、付記１１に記載の加入者収容装置。
【００９２】
（付記１３）  前記第２の予備モジュールに収容されている加入者の優先度よりも前記故障モジュールに収容されている加入者の優先度が低いか等しい場合、前記加入者管理部は、前記切替え制御部に前記切替え指示をしない、付記１２に記載の加入者収容装置。
【００９３】
（付記１４）  前記第１及び／又は第２の予備モジュールに加入者が収容されていない場合、前記加入者管理部は、前記切替え制御部に、前記故障モジュールに収容されている加入者の前記第１及び／又は第２の予備モジュールへの切替え指示をする、付記１０乃至１３のいずれか１つに記載の加入者収容装置。
【００９４】
（付記１５）  交換機と端末装置との間に配置される加入者収容装置のコンピュータに、加入者の切替えを実施させる加入者切替えプログラムであって、前記コンピュータに、
加入者単位に切替え優先度を付与する機能と、
複数加入者収容の各モジュールの故障発生時に、前記優先度に基づいて、故障モジュールの加入者を予備モジュールへ切替えるか否かを制御する機能と、
を実現させるための加入者切替えプログラム。
【００９５】
（付記１６）  前記制御する機能は、前記コンピュータに、
前記予備モジュールに加入者が収容されているか否かを判定する機能と、
前記予備モジュールに加入者が収容されている場合、故障モジュールに収容されている加入者の優先度と前記予備モジュールに収容されている加入者の優先度とを比較する機能と、
該比較結果に基づいて、前記故障モジュールに収容されている加入者を、前記予備モジュールへ切替えるか否かを判断する機能と、
を実現させる、付記１５に記載の加入者切替えプログラム。
【００９６】
（付記１７）  前記判断する機能は、前記コンピュータに、
前記予備モジュールに収容されている優先度よりも前記故障モジュールに収容されている加入者の優先度が高い場合、前記故障モジュールに収容されている加入者を前記予備モジュールへ切替えさせる、付記１６に記載の加入者切替えプログラム。
【００９７】
（付記１８）  前記判断する機能は、前記コンピュータに、
前記予備モジュールに収容されている優先度よりも前記故障モジュールに収容されている加入者の優先度が低いか等しい場合、前記故障モジュールに収容されている加入者の切替えを行わせない、付記１７に記載の加入者切替えプログラム。
【００９８】
（付記１９）  前記制御する機能は、前記コンピュータに、
前記予備モジュールに加入者が収容されていない場合、前記故障モジュールに収容されている加入者を前記予備モジュールへ切替えさせる、付記１５乃至１８のいずれか１つに記載の加入者切替えプログラム。
【産業上の利用可能性】
【００９９】
本発明は、電話交換網において、交換機−端末装置間に配置され、複数加入者を収容し、且つＮ＋１冗長制御を有する機器において利用が可能である。
【符号の説明】
【０１００】
１０１、１０１Ａ  ・・・  加入者収容装置
１０２  ・・・  端末装置
１０３  ・・・  ＡＴＭ装置
１０４  ・・・  回線
１０５  ・・・  回線
１０６  ・・・  交換機
１０７ａ〜１０７ｃ  ・・・  モジュール（現用モジュール）
１０８、１０８ａ、１０８ｂ  ・・・  予備モジュール
１０９  ・・・  故障検出部
１１０、１１０Ａ  ・・・  加入者管理部
１１１  ・・・  切替え制御部
【図１】
2013236266.tif 000003
【図２】
2013236266.tif 000004
【図３】
2013236266.tif 000005